(57)【要約】【課題】  メンテナンスが良好に行え、かつ、室内の空調環境の快適性を向上できる空気調和装置を提供することを目的とする。【解決手段】  室内１００に開口した室内吹出口部１０３と、室内１００に開口した室内吸込口部１０５と、室外に設置され、室内吸引口部１０５から取り込まれた室内空気を室内熱交換器２１によって冷却または加熱して空調空気とし、空調空気を室内吹出口部１０３から室内１００に吹出す室外設置型室内ユニット５と、を備えている空気調和装置１であって、室内吹出口部１０３は、室内１００に面した吹出面部１１０を有するノズル形とされ、吹出面部１１０内に沿って移動可能に取り付けられ、吹出面部１１０の一部を覆う第一風向板１１７および第二風向板１２３が備えられていることを特徴とする。【選択図】      図３
2008185221.tif 000002
【特許請求の範囲】
【請求項１】
室内に開口した室内吹出口部と、
室内に開口した室内吸込口部と、
室外に設置され、該室内吸引口部から取り込まれた室内空気を熱交換器によって冷却または加熱して空調空気とし、該空調空気を前記室内吹出口部から室内に吹出す室外設置型室内ユニットと、を備えている空気調和装置であって、
前記室内吹出口部は、室内に面した吹出面を有するノズル形とされ、
該吹出面内に沿って移動可能に取り付けられ、該吹出面の一部を覆う風向板が備えられていることを特徴とする空気調和装置。
【請求項２】
前記吹出面は、略円形に形成され、
前記風向板は、前記吹出面の略中心部を軸線中心として回転可能に取り付けられていることを特徴とする請求項２に記載された空気調和装置。
【請求項３】
前記風向板は複数備えられ、隣り合う前記風向板は前記吹出面内で相互に移動を許容するように連結されていることを特徴とする請求項１から請求項３のいずれかに記載された空気調和装置。
【請求項４】
前記風向板の前記空調空気流れ方向上流側の面は、前記空調空気を滑らかに流すような湾曲面形状とされていることを特徴とする請求項１から請求項４のいずれかに記載された空気調和装置。
【請求項５】
前記室内吹出口部には、人体検知センサが設置され、前記風向板は該人体検知センサの検出信号によって移動されることを特徴とする請求項２から請求項５のいずれかに記載された空気調和装置。
【請求項６】
前記室外設置型室内ユニットには、前記室内吸引口部から取り込まれた室内空気の少なくとも一部を、外部から取り入れた外部空気と熱交換して排出する全熱交換器が備えられていることを特徴とする空気調和装置。
【発明の詳細な説明】
【技術分野】
【０００１】
本発明は、空気調和装置に関するものである。
【背景技術】
【０００２】
空気調和装置の室内ユニットは、居住空間、店舗等のスペースをできるだけ広く使えるようにするため、床置き形から壁掛け形、さらには天井吊下げ形、天井カセット形、天井埋込形と設置場所が室内の上の方に変化している。
しかし、いずれも基本的に室内に設置される形態であるため、フィルタの交換等の日常メンテナンスおよびドレン配管による水漏れ対応、熱交換器の洗浄、修理等のメンテナンスを行なう場合には、室内の養生が必要であるという問題があった。
また、例えば、室内配管が長くなるような場合には、室内景観を阻害する恐れがあった。
【０００３】
これを解消するものとして、例えば、特許文献１に示されるものが提案されている。
これは、空気調和機を設置する側の壁の上部に空気を室内側に吹き出す空気吹出口が設けられ、この空気吹出口の下方における床に近い壁に室内空気を室外側に吸い込む空気吸込口が設けられている。
さらに、室内ユニットの背面を外側にして空気吹出し側の正面が空気吹出口の室外側の壁面に取り付けられ、空気吸込口と室内ユニットの空気取入口とを連通させるダクトが室外に設けられ、このダクト内に室内ユニットと室外ユニットとを接続する冷媒配管が収納されている。
そして、室内ユニットは、その背面側に取外し可能に装着され、かつ、取外すことによって室内ユニットの内部機器を点検したり、追加オプション機器を取付けたりする室外側背面板を備えている。
【０００４】
【特許文献１】特開２００４−２７８９９６号公報
【発明の開示】
【発明が解決しようとする課題】
【０００５】
ところで、特許文献１に示されるものは、空気吹出口および空気吸込口のために建物の壁に孔を開ける必要がある。
建物の強度等を勘案すると、この孔はできるだけ小径のものとすることが求められる。
このように空気吹出口を小径とすると、吹き出される空気の速度（風速）が大きくなるので、特許文献１に図示されるように、空調された空気が、空気吹出口が設置されている壁に対向する壁に当り、該壁に沿って下降するように循環される。このため、空気吹出口が設置されている壁に近い部分は空調の効果が不十分となるという問題がある。
また、空気吹出口から吹き出される空調空気の向きを下向きに変更すると、風速の大きな空調空気が、人に直接当るようになり、人に不快感を与えるという問題がある。
【０００６】
本発明は、上記問題点に鑑み、メンテナンスが良好に行え、かつ、室内の空調環境の快適性を向上できる空気調和装置を提供することを目的とする。
【課題を解決するための手段】
【０００７】
上記課題を解決するために、本発明は以下の手段を採用する。
すなわち、本発明にかかる空気調和装置は、室内に開口した室内吹出口部と、室内に開口した室内吸込口部と、室外に設置され、該室内吸引口部から取り込まれた室内空気を熱交換器によって冷却または加熱して空調空気とし、該空調空気を前記室内吹出口部から室内に吹出す室外設置型室内ユニットと、を備えている空気調和装置であって、前記室内吹出口部は、室内に面した吹出面を有するノズル形とされ、該吹出面内に沿って移動可能に取り付けられ、該吹出面の一部を覆う風向板が備えられていることを特徴とする。
【０００８】
本発明にかかる空気調和装置は、室外に配置した室外設置型室内ユニットを作動させると、室内吸込口部から室内空気を取り込み、それを熱交換器によって冷却または加熱して空調空気とする。この空調空気は、室内吹出口部から室内に吹出され、室内の空気調和を行う。
このように、室外設置型室内ユニットは室外に設置されているので、フィルタの交換等、ドレン配管による水漏れ対応、熱交換器の洗浄、修理等のメンテナンスを室外で行うことができる。
このため、メンテナンスのために室内の養生が必要でなくなるので、その分メンテナンス作業を容易に行うことができる。
【０００９】
また、室内吹出口部は、室内に面した吹出面を有するノズル形とされ、かつ、吹出面内に沿って移動可能に取り付けられ、該吹出面の一部を覆う風向板が備えられているので、室内吹出口部を通過する空調空気の一部は、風向板に当接して吹出面内に沿った流れを形成する。したがって、吹出面の内、風向板が存在する部分は空調空気が吹き出さないので、風向板の位置を移動調節することによって空調空気が人に直接吹付けられないようにすることができ、人に不快感を与えないような空調を行うことができる。
一方、風向板によって形成された吹出面内に沿った流れが他部の空調空気に衝突して、それらの方向を拡散するとともに速度を低減させるので、人の近くを含む室内の広い部分に空調空気を届かせることができ、室内の空調環境の快適性を向上することができる。
【００１０】
また、本発明にかかる空気調和装置では、前記吹出面は、略円形に形成され、前記風向板は、前記吹出面の略中心部を軸線中心として回転可能に取り付けられていることを特徴とする。
【００１１】
このように、吹出面は、略円形に形成され、風向板は、吹出面の略中心部を軸線中心として回転可能に取り付けられているので、風向板を回転させることによって、必要な位置に容易に位置させることができる。
また、風向板を連続して回転させる、あるいは、半周ずつ往復回転させると、空調空気の当る（あるいは当らない）位置を循環するように変更することができるので、快適性を向上させることができる。
【００１２】
また、本発明にかかる空気調和装置では、前記風向板は複数備えられ、隣り合う前記風向板は前記吹出面内で相互に移動を許容するように連結されていることを特徴とする。
【００１３】
このように、風向板は複数備えられ、隣り合う風向板は吹出面内で相互に移動を許容するように連結されているので、隣り合う風向板が重なるようにすると、風向板が吹出面内を覆う範囲を小さくできる。また、反対に隣り合う風向板の重なりを小さくすると、風向板が吹出面内を覆う範囲を大きくできるので、他部の空調空気の速度を増加させることができる。
したがって、複数の風向板の重なりを調節することによって、風向板が吹出面内を覆う範囲を調節できるので、空調空気の吹出し風向および風速を調節でき、それにより室内の人数、配置等に対応した空調を行うことができる。
【００１４】
また、本発明にかかる空気調和装置では、前記風向板の前記空調空気流れ方向上流側の面は、前記空調空気を滑らかに流すような湾曲面形状とされていることを特徴とする。
【００１５】
このように、風向板の空調空気流れ方向上流側の面は、空調空気を滑らかに流すような湾曲面形状とされているので、空調空気の急激な方向変換が発生しない。これにより、たとえば騒音の発生を防止することができる。
【００１６】
また、本発明にかかる空気調和装置では、前記室内吹出口部には、人体検知センサが設置され、前記風向板は該人体検知センサの検出信号によって移動されることを特徴とする。
【００１７】
本発明によれば、室内吹出口部に設置された人体検知センサで人の位置を検出し、検知された人の位置に対応した位置に風向板を移動させるので、確実に、かつ、精度良く空調空気を直接人に当てないようにすることができる。
【００１８】
また、本発明にかかる空気調和装置では、前記室外設置型室内ユニットには、前記室内吸引口部から取り込まれた室内空気の少なくとも一部を、外部から取り入れた外部空気と熱交換して排出する全熱交換器が備えられていることを特徴とする。
【００１９】
本発明にかかる空気調和装置では、室内吸込口部から取り込まれた室内空気は、その少なくとも一部が全熱交換器によって外部から取り入れた外部空気と熱交換して排出される。残りの室内空気および全熱交換器で熱交換された外部空気は、熱交換器によって空調空気とされ、室内吹出口部から室内に吹き出される。
このように、室内空気を排出するとともに取り入れた外部空気と熱交換させる全熱交換器が備えられているので、省エネルギーによる換気を行うことができる。
また、室内熱交換器への冷媒の供給あるいは非供給によって冷暖房、換気、給気等を適宜行うことができる。
このため、建築基準法によって義務付けされた換気用の設備（換気ユニット、給排気用のダクト等）を別途設置する必要がなくなる。
【発明の効果】
【００２０】
本発明によれば、室外設置型室内ユニットは室外に設置されているので、メンテナンス作業を容易に行うことができる。
また、室内吹出口部は、室内に面した吹出面を有するノズル形とされ、かつ、吹出面内に沿って移動可能に取り付けられ、該吹出面の一部を覆う風向板が備えられているので、人に不快感を与えないような空調を行うことができ、室内の空調環境の快適性を向上することができる。
【発明を実施するための最良の形態】
【００２１】
以下、本発明の一実施形態について、図１〜図７を用いて説明する。
図１は本実施形態にかかる空気調和装置の設置状態を示す斜視図である。図２は、本実施形態にかかる室外設置型室内ユニットの内部概略構成を示す正面図である。図３は、本実施形態にかかる室内吹出部の縦断面図である。図４は、図３のＡ視図である。図５および図６は、本実施形態にかかる風向板を示す正面図である。図７は、空調空気を吹出している室内吹出口部を示す模式図である。
【００２２】
本実施形態にかかる空気調和装置１は、図１に示されるように１台の室外ユニット３に、複数台、例えば２台の室外設置型室内ユニット５が接続された、マルチ室内ユニットタイプと称されるものである。
これら室外ユニット３および室外設置型室内ユニット５は、冷媒が導通する冷媒配管である液管７およびガス管９や図示しない電気配線等により接続されている。
【００２３】
空気調和装置１は、室外ユニット３および室外設置型室内ユニット５内に設置された各機器を液管７およびガス管９によって接続し、冷媒が状態を変えて循環する冷媒回路を構成している。
室外ユニット３には、図示しない圧縮機、室外熱交換器、等が備えられている。
室外ユニット３は、冷房時には、冷却した液冷媒を液管７によって各室外設置型室内ユニット５へ供給し、暖房時には、高温高圧のガス冷媒を各室外設置型室内ユニット５に供給する。
【００２４】
室外設置型室内ユニット５には、図２に示されるように、各機器を収納するケーシング１１と、全熱交換器１３と、ロールフィルタ１５と、シロッコファン１７と、ファンモータ１９と、室内熱交換器（熱交換器）２１と、排気用ファン２３と、外部空気取入用ファン２５と、ゴミ排出ファン２７と、制御箱２９とが備えられている。
ケーシング１１は、略直方体形状をした中空体である。ケーシング１１の内部は、仕切部材３１によって全熱交換器１３等を設置する全熱交換器セクション３３と、室内熱交換器２１等を設置する室内熱交換器セクション３５と、シロッコファン１７等を設置する送風機セクション３７とに区切られている。
【００２５】
ケーシング１１の前面３９には、全熱交換器セクション３３、室内熱交換器セクション３５および送風機セクション３７が略全面に亘り開口している。
これらの開口部を覆うようにそれぞれ全熱交換器セクションパネル４１、室内熱交換器セクションパネル４３および送風機セクションパネル４５が備えられている。（図１参照）
全熱交換器セクションパネル４１、室内熱交換器セクションパネル４３および送風機セクションパネル４５は、前面３９にパッキン等を介して密封できるように着脱可能に取り付けられている。
【００２６】
ケーシング１１の前面３９と略直交するように交差する上面４７には、吸引ダクト４９が接続される吸引口部５１と、吹出ダクト５３が接続される吹出口部５５とが備えられている。
吸引口部５１は、全熱交換器セクション３３に位置し、吹出口部５５は室内熱交換器セクション３５に位置している。
ケーシング１１の上面４７および下面５７の両端部で、背面５９側には、貫通孔６１を有する固定金具６３が固定して取付けられている。
【００２７】
排気用ファン２３は、全熱交換器セクション３３の外側面下部に排気開口部６７を有し、内側に開閉可能な排気扉６９を有する排気ダクト７１の中に取付けられている。
外部空気取入用ファン２５は、全熱交換器セクション３３に下部側面側に配置され、全熱交換器セクション３３の下面５７に取入開口部７３を有し、内側に開閉可能な取入扉７５を有する取入ダクト７７の中に取付けられている。
ゴミ排出ファン２７は、全熱交換器セクション３３の下部中央側に配置され、全熱交換器セクション３３の下面に排出開口部７９を有し、内側に開閉可能な排出扉８１を有する排出ダクト８３の中に取付けられている。
【００２８】
ロールフィルタ１５は、全熱交換器セクション３３と送風機セクション３７とを区切る仕切部材３１に設けられた開口部に設置され、シロッコファン１７に吸引されて通過する吸引口部５１から吸引された室内空気に含まれるダスト等のゴミを分離して回収する機能を奏する。
ロールフィルタ１５で回収されたゴミは図示しない掻き取り等の回収手段によって除去され、ゴミ排出ファン２７によって外部に排出される。
【００２９】
シロッコファン１７は、複数枚の羽根を環状配置させて円筒をなし、ファンモータ１９によって回転させられる。シロッコファン１７は、この羽根の回転によってこの円筒の軸線中心部に流入する空気を円筒の接線方向に向けて流路が形成された送風ダクト６５内を通って室内熱交換器２１に向けて送り出すものである。
室内熱交換器２１は、シロッコファン１７によって送られる空気を冷却あるいは加熱するもので、例えば、複数のプレートフィンを平行に配列するとともにその両側にそれぞれ側板を配置し、かつこれら側板および複数のプレートフィンの間に冷媒の流れるチューブを配設した構成とされている。
すなわち、このチューブの両端に液管７とガス管９とが接続されている。
液管７には、膨張弁８５とストレーナ８７とが備えられている。
【００３０】
空気調和装置１の運転等を制御する制御部が収納されている制御箱２９は、送風機セクション３７の下部に設置されている。
制御箱２９のシロッコファン１７側には、スピーカ８９が取付けられている。制御箱２９に設けられた図示しない信号処理回路によって、吹出ダクト５３内に設置されたマイクロフォン９１で検出された騒音波形をもとに、それと逆位相の音波形を出すような信号が形成され、スピーカ８９に供給される。スピーカ８９は、この信号に応じて指示された音波形に従った音を発生し、吹出ダクト５３および吸引ダクト４９を通って室内に伝播される騒音を低減するように構成されている。
【００３１】
室内熱交換器セクション３５の室内熱交換器２１の下方には室内熱交換器２１で発生するドレンを受けるドレンパン９３が備えられている。
ドレンパン９３に貯留したドレンは、ドレン管９５を通って機外に排出される。
ケーシング１１の下面５７には、液管７、ガス管９、図示しない配線等およびドレン管９５が通る貫通孔が備えられている。
【００３２】
このように構成された２台の室外設置型室内ユニット５を含む空気調和装置１は、図１に例示する集合住宅において次ぎのように設置されている。
室外ユニット３は、ベランダ９７の所定位置に載置される。
２台の室外設置型室内ユニット５は、部屋の外壁９９の外側、すなわち、室外２００側に取付けられている。
このように、室外設置型室内ユニット５は、室外２００側に取り付けられるので、室内１００のスペースを有効に活用することができる。
【００３３】
室外設置型室内ユニット５ａは、取付位置における幅方向寸法に余裕があるので、上面４７、すなわち、吸引ダクト４９および吹出ダクト５３が上になるように配置し、固定金具６３をコンクリートボルトによって外壁９９に固定することで取付けられる。
これは、前面３９が上下方向に延在するので、縦置きと称される。
なお、この縦置きで、取付位置における幅方向寸法が小さい場合、上面４７が側部になるように配置することができる。この場合、上下を逆にすることで、吸引ダクト４９および吹出ダクト５３をケーシング１１の左側あるいは右側に配置することができるので、集合住宅においてよく求められる左右勝手の違いに対応することができる。
【００３４】
そして、室外設置型室内ユニット５ｂは、設置位置における上下方向高さが小さいので、前面３９が下側に向き、かつ、横方向に延在する形（横置き）で設置される。
ケーシング１１は、固定金具６３が吊りボルト９８の先端に取付けられることによって、例えば、上の階のベランダ９７の下面に吊下げられる。
このように横置き配置とすると、設置場所の上下方向高さはケーシング１１の厚みと略同等以上あればよい。
なお、室外設置型室内ユニット５ｂを水平面内で１８０度回転させれば、吸引ダクト４９および吹出ダクト５３をケーシング１１の左側に配置することができるので、集合住宅においてよく求められる左右勝手の違いに対応することができる。
【００３５】
室外設置型室内ユニット５ａは、前面３９が外側に向いた状態で、室外設置型室内ユニット５ｂは前面３９が下側に向いた状態で取り付けられるので、全熱交換器セクションパネル４１、室内熱交換器セクションパネル４３および送風機セクションパネル４５に容易に接近することができる。
これは、上述した集合住宅においてよく求められる左右勝手の違いに対応した設置でも同様である。
【００３６】
したがって、全熱交換器セクションパネル４１、室内熱交換器セクションパネル４３あるいは送風機セクションパネル４５を取り外すことによって、ケーシング１１内部に取り付けられた機器のメンテナンスを簡単に、かつ、確実に実施することができる。
また、室外設置型室内ユニット５は室外に設置されているので、メンテナンスを室外で行うことができる。このため、メンテナンスのために室内の養生が必要でなくなるので、その分メンテナンス作業を容易に行うことができる。
【００３７】
外壁９９には、各室外設置型室内ユニット５に対して２個の略円筒形状の貫通孔１０１が設けられている。
貫通孔１０１の直径は、たとえば、１００ｍｍとされる。貫通孔１０１の直径は、５０ｍｍ〜２５０ｍｍの範囲で、風量、室内広さ等によって選択される。
貫通孔１０１は、新築の場合には事前に準備され、既設の建物に後付けする場合、孔を開けることになる。
なお、後付けの場合、貫通孔１０１の１個は、たとえば、室外ユニット３と室内に配置される室内ユニットとを結ぶ液管７、ガス管９および図示しない配線等ならびに室内ユニットのドレンを排出するドレン管９５等を通すために設けられているエアコン穴をもちいるようにしてもよい。
【００３８】
吹出し側の貫通孔１０１には、室内吹出口部１０３が装着されている。吸込み側の貫通孔１０１には、室内吸込口部１０５が嵌装されている。
室内吹出口部１０３は、図３および図４に示されるように、中空の略円筒形状をし、室内１００側および室外２００側は外周側に突出している。室内吹出口部１０３の軸線方向中間部分は貫通孔１０１の内周側に挿着されている。貫通孔１０１の内周部と室内吹出口部１０３の外周部との間は、図示しないシール材でシールされている。
室内吹出口部１０３の内部空間１５０は、略円筒形状で、室内１００側がラッパ状に開いた形状をしている。この内部空間１５０の室内側部分が室内１００へ空調空気を吹出す吹出面部（吹出面）１１０を構成する。
【００３９】
室内吹出口部１０３の室外２００側には、吹出ダクト５３の室内側端部が挿入され、たとえば、接着剤によって密着するように固定されている。
室内吸込口部１０５は、室内吹出口部１０３と略同様に構成されており、その室外２００側には、吸込ダクト４９の室内側端部が挿入され、たとえば、接着剤によって密着するように固定されている。
【００４０】
室内吹出口部１０３の室内１００側端部中心部には、室内１００側からみて略同一の軸線中心を持つ円形をした風向部１０７が複数本、たとえば４本の支柱１０９によって固定して取り付けられている。
風向部１０７の室外２００側は、室外２００側に向かうに連れて径が小さくなるように形成され、当接する空調空気を外周側に向けて滑らかに案内する機能を奏する。
【００４１】
風向部１０７の室内１００側には、人体検知センサ１１１が設置されている。人体検知センサ１１１としては、たとえば、焦電効果を用いた熱型赤外線センサが用いられている。これに限らず種々の形式のものを用いてもよい。
人体検知センサ１１１の検知部（図示省略）は複数備えられ、それぞれの各検知部が室内１００の各部分をカバーするように配置されている。
人体検知センサ１１１は、室内全域をカバーするようにしてもよいし、人がよくいる場所のみをカバーするようにしてもよい。
【００４２】
内部空間１５０の略中間部分には、ステッピングモータ１１３が室内吹出口部１０３の略軸線中心位置に軸線方向に延在するように、複数本、たとえば、４本の支柱１１５によって室内吹出口部１０３に固定して取り付けられている。
ステッピングモータ１１３の室内側に突出した出力軸には、第一風向板（風向板）１１７が固定して取り付けられている。
第一風向板１１７は、室内１００側からみた形状が、外周側が大きい弧となる略扇形をしている。第一風向板１１７は、外周側が室内吹出口部１０３の内周面に略接触し、内周側は、室内吹出口部１０３の略軸線中心位置に位置するように配置されている。
【００４３】
第一風向板１１７の室内１００側の面は、略平坦に形成され、その内周側端部に支持軸１１９が室内１００側に向けて突出するように固定されている。そして、該面の外周側の一側側（室内１００側からみて左側）に、ガイドピン１２１が室内１００側に向けて突出するように固定されている。
第一風向板１１７の室外２００側の面、すなわち、空調空気流れ方向上流側の面は、同方向上流側に突起し、その外周部からステッピングモータ１１３の出力軸に収斂するように凹湾曲面が形成され、空調空気を滑らかに案内する機能を有している。
【００４４】
第一風向板１１７の室内１００側には、第二風向板（風向板）１２３が取り付けられている。
第二風向板１２３は、室内１００側からみた形状が、第一風向板１１７と略同じ形状をしている。第二風向板１２３は、外周側が室内吹出口部１０３の内周面に略接触し、内周側は、室内吹出口部１０３の略軸線中心位置に位置するように配置されている。
第二風向板１２３の内周側端部は、支持軸１１９に嵌装され、これにより、第二風向板１２３は支持軸１１９、すなわち、第一風向板１１７に回転可能に支持されている。
【００４５】
第二風向板１２３の室外２００側の面、すなわち、空調空気流れ方向上流側の面は、同方向上流側に突起する凹湾曲面で形成され、ガイドピン１２１に対応する位置にガイドピンが嵌合する円弧状の嵌合溝１２５が備えられている。
第一風向板１１７と第二風向板１２３とは、支持軸１１９およびガイドピン１２１によって相互に移動を許容するように連結されている。
すなわち、第一風向板１１７は、支持軸１１９を中心とし、ガイドピン１２１が嵌合溝１２５に沿って移動できる範囲で、第二風向板１２３に対して回転可能とされている。
【００４６】
以上説明した本実施形態にかかる空気調和装置１の動作について説明する。
次に、空気調和装置１の各種運転について説明する。
まず、冷房運転を行う場合には、室外ユニット５から液管７により室内熱交換器２１に冷めたい液冷媒が供給される。その途中で液冷媒は膨張弁８５によって膨張され室内熱交換器２１に流入する。
そして、シロッコファン１７の回転により、吸込ダクト４９を介して吸引口部５１から取り入れられた室内空気は、ロールフィルタ１５でダスト等のゴミを分離された状態で、室内熱交換器２１を通過して冷却される。この室内熱交換器２１で冷却された空気（空調空気）が吹出口部５５および吹出ダクト５３を通って室内吹出口部１０３から室内に吹き出され、室内の冷房を行う。
【００４７】
室内熱交換器２１を流れる冷媒は、室内空気との熱交換によって暖められてガス化し、ガス管９を通って室外ユニット３に戻される。
このとき、室内空気に含まれる水蒸気が、冷媒によって冷却された室内熱交換器２１に触れて凝縮し、ドレンとなる。
このドレンは、ドレンパン９３に貯留され、ドレン管９５を通って機外に排出される。
【００４８】
また、暖房運転を行う場合には、室外ユニット５からガス管９により室内熱交換器２１に暖かいガス冷媒が運ばれ、上述の冷房運転と同様に流れる室内空気を暖める。
この室内熱交換器２１で加熱された空気（空調空気）が吹出口部５５および吹出ダクト５３を通って室内吹出口部１０３から室内に吹き出され、室内の暖房を行う。
室内熱交換器２１を流れる冷媒は、室内空気との熱交換によって冷却されて液化し、液管７を通って室外ユニット３に戻される。
【００４９】
この場合、排気扉６９および取入扉７５を開き、排気用ファン２３および外部空気取入用ファン２５を回転させる。
排気用ファン２３が回転すると吸引口部５１から取り入れられた室内空気の一部が全熱交換器１３に取り込まれ、全熱交換器１３および排気ダクト７１を通って排気開口部６７から外部に排気される。
一方、外部空気取入用ファン２５が回転すると、取入開口部７３から取入ダクト７７を通って全熱交換器１３に外部空気が供給される。
全熱交換器１３に供給された外部空気は、全熱交換器１３を通って排気される室内空気と熱交換され、残りの室内空気とともに室内熱交換器２１によって冷却あるいは加熱されて吹出ダクト５３を通り室内に供給される。
【００５０】
このように、室内空気の一部を排出するとともにそれと取り入れた外部空気との間で熱交換させる全熱交換器１３が備えられているので、省エネルギーを図った冷暖房を伴った換気を行うことができる。
室内熱交換器２１に冷媒を供給しない状態で、排気用ファン２３および外部空気取入用ファン２５を運転すれば、室内の環境を略維持した状態での換気を行うことができる。
また、外部空気取入用ファン２５のみを作動させれば、外部空気を取り込む（給気）ことができる。
このように、本実施形態の空気調和装置１は、冷暖房、換気、給気等の種々の運転を行うことができる。
このため、建築基準法によって義務付けされた換気用の設備（換気ユニット、給排気用のダクト等）を別途設置する必要がなくなる。
【００５１】
次に、室内吹出口部１０３における空調空気の吹出し動作について説明する。
まず、第一風向板１１７および第二風向板１２３の動作について説明する。
ステッピングモータ１１３を作動して、第一風向板１１７を室内１００側からみて反時計回り方向、図５に示される矢印方向、に回転させると、ガイドピン１２１が嵌合溝１２５の左端に当る。この時、図５に示されるように第一風向板１１７および第二風向板１２３は略重なり、その覆う面積が最小となる。
第一風向板１１７がさらに回転すると、ガイドピン１２１が嵌合溝１２５の左端を押すことになるので、第一風向板１１７および第二風向板１２３は一体となって図５の矢印の方向に回転する。
【００５２】
第一風向板１１７を室内１００側からみて時計回り方向、図６に示される矢印方向、に回転させると、ガイドピン１２１が嵌合溝１２５の右端に当る。この時、図６に示されるように第一風向板１１７および第二風向板１２３は大きくずれ、その覆う面積が最大となる。
第一風向板１１７がさらに回転すると、ガイドピン１２１が嵌合溝１２５の右端を押すことになるので、第一風向板１１７および第二風向板１２３は一体となって図６の矢印の方向に回転する。
このように、ステッピングモータ１１３を作動させることによって、第一風向板１１７および第二風向板１２３は吹出面部１１０内の任意の位置に容易に位置させることができる。
【００５３】
また、同時に第一風向板１１７および第二風向板１２３で形成される吹出面部１１０を覆う範囲を容易に調節できる。
なお、本実施形態では、風向板として第一風向板１１７および第二風向板１２３の２枚を用いているが、これは、１枚でもよいし、３枚以上としてもよい。
たとえば、３枚以上とすれば、吹出面部１１０を覆う範囲を一層細かく調節することができる。また、１枚が同じ大きさだとすると、より大きな範囲を覆うことができる。
【００５４】
人体検知センサ１１１の複数の検知部は、人１３０のいる位置に検知範囲があるものがその存在を検知する。どの検知部が検知したかによって、図示しない制御部は、人の位置を特定する。
たとえば、図７に示されるように２人の人１３０が室内吹出口部１０３の近くにいる場合、それを検知した制御部は、ステッピングモータ１１３を作動させて、第一風向板１１７および第二風向板１２３を吹出面部１１０の下側部分を覆う位置で、ほとんど重ならない状態になるように移動させる。
【００５５】
このとき、吹出ダクト５３を通って進行する空調空気の一部は、第一風向板１１７および第二風向板１２３に当接し、室内吹出口部１０３の軸線に略直交する、すなわち、吹出面部１１０に沿った流れを形成する。
第一風向板１１７および第二風向板１２３の室外２００側の面は、凹湾曲され、空調空気を滑らかに流すような形状とされているので、空調空気の急激な方向変換が発生しない。これにより、たとえば騒音の発生を防止することができる。
第一風向板１１７および第二風向板１２３に当接せずに進行する空調空気の流れに、第一風向板１１７および第二風向板１２３による室内吹出口部１０３の軸線に略直交する空調空気の流れが当り、その流れ方向を傾斜させる。これにより軸線方向に向かう速度成分が若干低下することになる。
【００５６】
この空調空気は、吹出面部１１０を通過する際、中心部分は風向部１０７に当り、外周側に偏向される。また、室内吹出口部１０３の室内１００側端部が外周側に開いていることもあって、空調空気は風向部１０７、第一風向板１１７および第二風向板１２３の存在している部分を除いて拡散されるように室内１００に吹き出される。
したがって、図７に示されるように、空調空気は第一風向板１１７および第二風向板１２３が存在している下側に吹出さず、その周辺を覆うように吹き出される。
このため、室内吹出口部１０３の近くにいる人１３０には、空調空気が直接吹付けられないので、人１３０に不快感を与えないような空調を行うことができる。
また、人１３０に直接空調空気を吹付けず、かつ人１３０の周囲のみスポット的に空調することができ、省エネ空調が可能となる。
【００５７】
人１３０が移動する、あるいは、人数が変化する等の変動があると、人体検知センサ１１１がそれを検知し、制御部はステッピングモータ１１３を作動させて第一風向板１１７および第二風向板１２３の重なり、位置を調節する。
【００５８】
また、室内吹出口部１０３から吹き出される空調空気は、拡散されるとともに速度を低減させられているので、人１３０の近くを含む室内１００の広い部分に届かせることができ、室内１００の空調環境の快適性を向上することができる。
なお、ステッピングモータ１１３を連続して回転すると第一風向板１１７および第二風向板１２３は連続して回転させられるので、吹出面部１１０を覆う位置が周期的に変動させることができる。このようにすると、空調空気の当る（あるいは当らない）位置を循環するように変更することができるので、快適性を向上させることができる。
これは、たとえば、半周ずつ往復回転させても同様なことが行える。
【００５９】
空調運転中には、制御箱２９に設けられた図示しない信号処理回路が、吹出ダクト５３内に設置されたマイクロフォン９１で検出された騒音波形をもとに、それと逆位相の音波形を出すような信号を形成し、スピーカ８９に供給する。
スピーカ８９は、この信号に応じて音波形に従った音を発生するので、騒音波形と音波形とは相互に打ち消され、低減される。
この場合、スピーカ８９が発生する音波形は騒音源であるシロッコファン１７、ファンモータ１９、排気用ファン２３、外部空気取入用ファン２５等が発生する騒音を低減させることになるので、騒音の低減が効率的であるとともに同時に吸引ダクト４９を介して伝播される騒音をも低減することができる。
【００６０】
なお、本発明は上述した実施形態に限定されるものではなく、本発明の要旨を逸脱しない範囲内において適宜変更することができる。
例えば、本実施形態では、本発明を室外ユニット３に対して複数の室外設置型室内ユニット５が取付けられるマルチ室内ユニットタイプに適用したとして説明したが、これに限定されるものではなく、室外ユニット３に対して１台の室外設置型室内ユニット５が設けられるタイプに適用してもよいし、その他の形式の空気調和装置に適用してもよい。
また、室外に設置された室外設置型室内ユニット５ではなく、室内に設置される室内ユニットに適用してもよい。
【図面の簡単な説明】
【００６１】
【図１】本発明の一実施形態にかかる空気調和装置の設置状態を示す斜視図である
【図２】本発明の一実施形態にかかる室外設置型室内ユニットの内部構造を示す正面図である。
【図３】本発明の一実施形態にかかる室内吹出口部を示す縦断面図である。
【図４】図３のＡ視図である。
【図５】本発明の一実施形態にかかる第一風向板および第二風向板が重なった状態を示す正面図である。
【図６】本発明の一実施形態にかかる第一風向板および第二風向板が重なっていない状態を示す正面図である。
【図７】本発明の一実施形態にかかる室内吹出口部からの空調空気の吹き出し状態を示す模式図である。
【符号の説明】
【００６２】
１  空気調和装置
５，５ａ，５ｂ  室外設置型室内ユニット
１３  全熱交換器
２１  室内熱交換器
１０３  室内吹出口部
１０５  室内吸込口部
１１０  吹出面部
１１１  人体検知センサ
１１７  第一風向板
１２３  第二風向板
【図１】
2008185221.tif 000003
【図２】
2008185221.tif 000004
【図３】
2008185221.tif 000005
【図４】
2008185221.tif 000006
【図５】
2008185221.tif 000007
【図６】
2008185221.tif 000008
【図７】
2008185221.tif 000009